(57)【要約】【課題】軽量でフィット感に優れた保冷又は温熱用装着具を提供する。【解決手段】表面生地２２と、一部を開口させて形成したポケット部３が３箇所、２ｃｍの間隔をもって設けられている裏面生地２１とで形成される袋状かつ細幅長尺状の装着具本体２、および、この装着具本体２のポケット部３内部３ｂの裏面生地２１側に縫い合わされ、一部が開口するメッシュ生地４を備えるとともに、ポケット部３内部３ｂのメッシュ生地４と装着具本体２の表面生地２２との間に温度調節用布片５を挟んで設け、ポケット部３の開口部３ａおよびメッシュ生地４の開口を裏面生地２１側の長手方向の中央線上に形成し、このポケット部３の温度調節用布片５よりもメッシュ生地４側に、又は、温度調節用布片５よりも表面生地２２側に冷却体としての高吸水ポリマー６ａが充填された袋体６を挿入して保冷用装着具１を構成する。【選択図】図１
2011015790.tif 000002
【特許請求の範囲】
【請求項１】
表面生地および、一部を開口させて形成したポケット部が２又は３箇所、１〜５ｃｍの間隔をもって設けられている裏面生地で形成される袋状かつ細幅長尺状の生地本体と、
この生地本体のポケット部内部の裏面生地側に縫い合わされ、一部が開口するメッシュ状の通気性生地と、
冷却体または温熱体が充填された袋体と、
からなり、
前記ポケット部の開口は、前記通気性生地の開口とともに、対向して、若しくは、前記裏面生地の長手方向の中央線上に形成され、
前記袋体は、前記通気性生地と前記生地本体の表面生地との間に保持される、
ことを特徴とする保冷又は温熱用装着具。
【請求項２】
前記ポケット部の内部には、舌状布片が前記通気性生地と前記生地本体の表面生地との間に挟まれて設けられている、
ことを特徴とする請求項１に記載の保冷又は温熱用装着具。
【請求項３】
前記通気性生地は、周縁部が折り返されて形成されている、
ことを特徴とする請求項１又は請求項２に記載の保冷又は温熱用装着具。
【請求項４】
所定の形状にメッシュ状の通気性生地を裁断する工程と、
所定の形状に舌状布片を裁断する工程と、
所定の形状の生地本体の裏面生地側に、ポケット部を２又は３箇所、１〜５ｃｍの間隔をもって設ける工程と、
裁断した前記通気性生地および前記舌状布片を、端部を合わせて縫いつけて二層のヘテロ布片とし、このヘテロ布片を、前記ポケット部内部の裏面生地側に前記通気性生地を位置させて縫いつける工程と、
前記ポケット部の開口を、前記通気性生地の開口とともに、対向させて、若しくは、前記裏面生地の長手方向の中央線上に形成する工程と、
を備えることを特徴とする保冷又は温熱用装着具の製造方法。
【請求項５】
裁断した前記通気性生地の周縁部を折り返して形成する工程を備えた、
ことを特徴とする請求項４に記載の保冷又は温熱用装着具の製造方法。
【発明の詳細な説明】
【技術分野】
【０００１】
本発明は、人体等の被接触部、特に、首筋等に装着して使用される保冷又は温熱用装着具、およびこれらの製造方法に関し、洗濯可能で繰り返し使え、軽量で、目的に合わせた勝手の良い使用が可能な保冷又は温熱用装着具、およびこれらの製造方法に関する。
【背景技術】
【０００２】
従来から、人体の各部を外部から保冷又は温熱するための冷却体や温熱体を収容した保冷具又は温熱具が公知である。例えば、夏場の暑熱対策、熱中症予防対策として冷感を与える高吸水ポリマーを装填した袋状の製品、冬場の防寒対策として衣服等に貼りつけて温熱効果を有する使い捨てカイロ等、複数のものが製造販売されている。この中で、下記特許文献１に提案されているような蓄冷材は、人体の首部に巻き付けて使用されている（特許文献１の図４参照）。一方、人体の首部を温熱する場合には、使い捨てカイロを直接貼って暖めることも想定されるが、やけどの危険性があるので推奨されていない。
【０００３】
このように、従来の保冷具又は温熱具は、保冷又は温熱の一方のみの効果を狙ったものがほとんどなのが現状である。例えば、熱中症予防対策製品については、長尺袋の内部に高吸水ポリマーを装填し、水で膨潤させて、その気化熱で冷却効果を得ようとする仕組みであるので、冷却効果を高めるためにポリマー量を多くする傾向にあって、重量物となって移動中、作業中の人体への適用が難しいという問題が顕在化している。また、長尺袋状内に高吸水ポリマーが装填されているため、高吸水ポリマーが膨潤すると棒状形状の長尺袋状となるため、例えば、人体の首部（例えば、首筋）にフィットし難いという問題もある。
【０００４】
また、従来の保冷具は、発汗が多い環境で使用されることが想定され、繰り返しの使用のために洗濯が必要になるが、高吸水ポリマーが収容されていると洗濯時に膨潤状態となって、洗濯機内のドラム内壁との衝突を繰り返し、保冷具自体が劣化し、内部の高吸水ポリマーも溶出するという問題がある。その他、高分子ポリマーを装填する長尺袋について、装填部をかがり縫と呼ばれる縫製を行うか、若しくは、ポリマー粒子が溶出しないような機密性の高いものを選択する等、非常に採用に制限があるため、デザイン等に富んだファッショナブルな保冷具とすることが難しいという問題もある。
【先行技術文献】
【特許文献】
【０００５】
【特許文献１】実用新案登録第３１０８４６５号公報
【０００６】
上記特許文献１にて提案された蓄冷材は、不凍性蓄冷材料が密封された帯状袋体からなる不凍性蓄冷体と、凍結性蓄冷材料が密封された複数の小袋体が連結部を介して互いに弛く連結されることにより帯状に形成された凍結性蓄冷体と、前記不凍性蓄冷体及び前記凍結性蓄冷体を層状に重ねた状態で収容する可撓性のカバーとを備え、前記カバーは、その前記不凍性蓄冷体側よりも前記凍結性蓄冷体側が相対的に高い断熱性を備えるとともに、前記不凍性蓄冷体側を被冷却部に当接させて使用するように構成されていることを特徴とし、冷温においても全体的に柔軟性を有するとともに、冷却の持続性を向上させることができる蓄冷材として提供することができるとしている。
【発明の概要】
【発明が解決しようとする課題】
【０００７】
しかし、特許文献１にて提案された蓄冷材は、人体の首部（例えば、首筋）に適用されるものであるが、首筋にフィットし難いという従来の問題を解決するため、不凍性蓄冷材料が密封された帯状袋体からなる不凍性蓄冷体を必須の構成要素とし、かつ、凍結性蓄冷材料が密封された複数の小袋体が連結部を介して互いに弛く連結されることにより帯状に形成された凍結性蓄冷体とともに、層状に重ねた状態で可撓性のカバーに収容して使用するので、移動中、作業中の人体に適用するには重量物になるという問題が解決されていない。さらに、凍結性蓄冷材料が密封された複数の小袋体が連結部を介して互いに弛く連結されて帯状に形成された凍結性蓄冷体の構成は、複数の小袋体の大きさ、連結部の長さ等によって人体の首部（例えば、首筋）に柔軟にフィットさせることができるか否かについて疑問が残る。また、カバーに、小袋体が連なった凍結性蓄冷体を、常に１個収容するものであるので、冷たすぎる場合には蓄冷材を人体から外すほかなく、使用時に冷却の度合いを調整する（温度調整を行う）ことが難しく、実用的とは言い難いものであるという問題もある。
【０００８】
本発明は、上記実情に鑑み提案され、非常に軽量化されていて幅広い年代に使用することができるほか、人体の首部（例えば、首筋）に柔軟にフィットさせることができ、簡単に保冷又は温熱の度合いを調整すること等も可能で、目的に合わせた勝手の良い使用が可能な保冷又は温熱用装着具およびこの製造方法を提供することを目的とする。
【課題を解決するための手段】
【０００９】
上記目的を達成するため、本発明に係る保冷又は温熱用装着具は、表面生地および、一部を開口させて形成したポケット部が２又は３箇所、１〜５ｃｍの間隔をもって設けられている裏面生地で形成される袋状かつ細幅長尺状の生地本体と、この生地本体のポケット部内部の裏面生地側に縫い合わされ、一部が開口するメッシュ状の通気性生地と、冷却体または温熱体が充填された袋体と、からなり、前記ポケット部の開口は、前記通気性生地の開口とともに、対向して、若しくは、前記裏面生地の長手方向の中央線上に形成され、前記袋体は、前記通気性生地と前記生地本体の表面生地との間に保持される、ことを特徴とする。
【００１０】
特に、上記ポケット部の内部には、舌状布片が通気性生地と生地本体の表面生地との間に挟まれて設けられていることが好ましい。
【００１１】
さらに、上記通気性生地は、周縁部が折り返されて形成されていることが好ましい。
【００１２】
また、本発明に係る本発明に係る保冷又は温熱用装着具の製造方法は、所定の形状にメッシュ状の通気性生地を裁断する工程と、所定の形状に舌状布片を裁断する工程と、所定の形状の生地本体の裏面生地側に、ポケット部を２又は３箇所、１〜５ｃｍの間隔をもって設ける工程と、裁断した前記通気性生地および前記舌状布片を、端部を合わせて縫いつけて二層のヘテロ布片とし、このヘテロ布片を、前記ポケット部内部の裏面生地側に前記通気性生地を位置させて縫いつける工程と、前記ポケット部の開口を、前記通気性生地の開口とともに、対向させて、若しくは、前記裏面生地の長手方向の中央線上に形成する工程と、を備えることを特徴とする。
【００１３】
そして、上記製造方法は、裁断した通気性生地の周縁部を折り返して形成する工程を備えることが好ましい。
【発明の効果】
【００１４】
本発明に係る保冷又は温熱用装着具では、まず、ポケット部が形成されていて、特に内部の裏面生地側（人体と接触する側）が、一部が開口するメッシュ状の通気性生地で覆われている構成であるので、冷却体又は温熱体が充填された扁平状の袋体を簡単にポケット部へ挿入することができるとともに、この袋体がポケット部に挿入されれば、袋体内の冷却体又は温熱体の気化熱、酸化熱等を通気性生地を介して、効率よく人体の接触部に届けることができる。さらに、ポケット部が生地本体の裏面生地に２又は３箇所、１〜５ｃｍの間隔をもって設けられた構成であり、かつ、ポケット部の内部の裏面生地側を覆うものが通気性生地というメッシュ状のものであって柔軟であるので、袋体が挿入された後にも棒状形状とならず、通気性生地を介して人体の接触部の形状に柔軟に対応して密着させることができ、袋体内の冷却体又は温熱体の効果をより効率的に人体の接触部に届けることができる。特に、ポケット部および通気性生地の開口は、対向して、若しくは、裏面生地の長手方向の中央線上に形成されているので、袋体が挿入されていても目立つことなく外観が審美であるとともに、ポケット部に挿入された袋体をファスナー等で閉じなくても、使用（装着）時に外部へ脱落することを防ぐことができる。また、生地本体の裏面生地側に２又は３箇所、１〜５ｃｍの間隔をもってポケット部が設けられた構成であるが故、従来の保冷具又は温熱具に比べ飛躍的に軽量化することができ、幅広い年代の人に使用することができるほか、挿入する袋体の数を調整することができて、手軽に温度調節することも可能となる。なお、ポケット部に挿入する袋体は、生地本体と別体であるので、冷却用の袋体のみを例えば、冷却手段で冷やした後にポケット部に挿入すればよく、また、温熱用の袋体を例えば、揉んだ後にポケット部に挿入すればよいため、本発明は、非常に使い勝手のよいものとすることができる。そして、汗等で汚れた本発明の保冷又は温熱用装着具は、洗濯すれば繰り返し使用することができる。
【００１５】
特に、本発明では、舌状布片が通気性生地と生地本体の表面生地との間に挟まれて設けられているので、使用時の周辺環境に応じて袋体を、舌状布片よりも通気性生地側に、又は、舌状布片よりも生地本体の表面生地側に、挿入することが可能となって、このことによっても手軽に温度調節することができ、温熱によるやけどや冷却による凍傷の心配等もなくすことができる。
【００１６】
さらに、本発明では、通気性生地について周縁部が折り返されて形成されているので物理的に強化されているため、繰り返しの洗濯に対し大幅な抵抗性をもたせることが可能となって、長期間の使用に耐えうるものとすることができる。
【００１７】
また、本発明に係る保冷又は温熱用装着具の製造方法では、特段困難な工程を用いることなく、上記のとおりの効果を有する保冷又は温熱用装着具を製造することができるので、非常に軽量化され幅広い年代に使用することができるほか、人体に柔軟にフィットさせることができ、簡単に保冷又は温熱の度合いを調整すること等も可能な保冷又は温熱用装着具を経済性よく製造することができ、これを安価に提供することが可能となる。
【図面の簡単な説明】
【００１８】
【図１】実施例１に係る保冷用装着具における裏面生地側（人体と接触する側）を示す概略正面図である。
【図２】実施例１に係る保冷用装着具における表面生地側（外観）を示す概略背面図である。
【図３】図１のＡ−Ａ線断面図である。
【図４】実施例１に係る保冷用装着具へ冷却体が充填された袋体を挿入する様子を説明する説明図である。
【図５】図４において、袋体を挿入する過程において温度調節を行う様子を説明する説明図であって、（ａ）は比較的穏やかな冷却効果を求める場合を説明し、（ｂ）は強い冷却効果を求める場合を説明している。
【図６】実施例１に係る保冷用装着具の使用方法を説明する説明図である。
【図７】実施例１に係る保冷用装着具における製造工程を説明するフロー図である。
【図８】実施例２に係る温熱用装着具における裏面生地側（人体と接触する側）を示す概略正面図である。
【図９】本発明に係るさらに他の保冷又は温熱用装着具を説明するための断面図である。
【発明を実施するための形態】
【００１９】
以下、本発明に係る保冷又は温熱用装着具に関し、具体化したいくつかの実施形態を図面に基づいて説明する。
【００２０】
（実施例１）
本発明の実施例１に係る保冷又は温熱用装着具は、例えば、保冷用装着具１であり、図６に示すように、主に人体、特に、人体の首部の周囲に巻き付けて使用するものである。
具体的には、図１および図３に示すように、表面生地２２と、一部を開口させて形成したポケット部３が２又は３箇所、例えば、３箇所、１〜５ｃｍ、例えば、２ｃｍの間隔をもって設けられている裏面生地２１とで形成される袋状かつ細幅長尺状の生地本体としての装着具本体２、および、この装着具本体２のポケット部３の内部３ｂの裏面生地２１側に縫い合わされ、一部が開口するメッシュ状の通気性生地としてのメッシュ生地４を有している。特に、ポケット部の開口部３ａは、メッシュ生地４の開口とともに、装着具本体２の裏面生地２１側の長手方向の中央線上に形成されている。
さらに、本発明に係る保冷又は温熱用装着具は、ポケット部３の開口部３ａから内部３ｂへ、冷却体又は温熱体が充填された扁平状の袋体６が挿入されて使用されるものであり、この袋体６は、ポケット部３の内部３ｂのメッシュ生地４と装着具本体２の表面生地２２との間に保持されるものである。本実施例１の保冷用装着具１では、例えば、冷却体としての高吸水ポリマー６ａが充填された袋体６が挿入されている。
【００２１】
また、本実施例１の保冷用装着具１では、ポケット部３の内部３ｂのメッシュ生地４と装着具本体２の表面生地２２との間に、舌状布片としての矩形状の温度調節用布片５が挟まれて設けられている。
この温度調節用布片５は、使用時の周辺環境に応じて袋体６を、温度調節用布片５よりもメッシュ生地４側（人体と接触する側）に、又は、温度調節用布片５よりも表面生地２２側（外観側）に挿入することで、温熱による低温やけどや冷却による軽い凍傷を防ぎつつ、手軽に温度調節することができるようにするために、ポケット部３の内部３ｂに設けられる。また、メッシュ生地４よりもやや厚手の生地が用いられている。なお、本実施例１の保冷用装着具１では、温度調節用布片５とメッシュ生地４との端部同士、具体的には、端部としての周縁部同士が縫いつけられていて、ポケット部３の開口部３ａから内部３ｂへ袋体６が挿入されても、温度調節用布片５がその矩形状を保つことができるものである。
【００２２】
装着具本体２は、裁断された布地素材の長手方向の両端を縫い合わせ、表面生地２２と裏面生地２１とを有する細幅長尺にした二層構造の扁平な袋状で、木綿や麻、ポリエステルを代表例とする布地素材からなり、さらし地のような厚手のものが採用される。また、裏面生地２１側にポケット部３が３箇所設けられ、すなわち、図１に示すように、裏面生地２１側の中央に一箇所、ポケット部３が設けられるとともに、この中央のポケット部３の左右にも、２ｃｍの間隔をもってそれぞれポケット部３が設けられている。各々のポケット部３には、裏面生地２１の長手方向の中央線上に、開口部３ａが形成されている。さらに、ポケット部３の内部３ｂの裏面生地２１側は、上述の通り、一部がポケット部３とともに開口されたメッシュ生地４で覆われている。また、図２に示すように、装着具本体２の表面生地２２側は、公知のスカーフ等と何ら変わらず、使用時に外観が審美である。
【００２３】
なお、装着具本体２には、熱中症対策、暑熱対策の観点から制汗、消臭等の効果が見込めるような、例えば、吸放湿性、吸汗速乾を有する加工、消臭加工等が施された素材を採用することが好ましい。また、本実施例１における装着具本体２の大きさは、長さ１２０ｃｍ×幅５ｃｍであって、両端部を三角形状にして使用時に外観が審美となるようなデザインが施されている。ポケット部３の内部３ｂの大きさは、メッシュ生地４と同程度若しくは一回り大きくしたものであり、例えば、長さ５ｃｍ×幅４ｃｍの長方形である。なお、装着具本体２の裏面生地２１の長手方向の中央線上に形成されたポケット部３の開口部３ａの長さもほぼ５ｃｍとすればよい。
【００２４】
メッシュ生地４は、木綿、麻、ポリエステルを代表例とする布地素材からなり、通気性を有する。また、下記にて説明する通り、製造の過程で一部が開口されるものである。また、装着具本体２と同じように、熱中症対策、暑熱対策の観点から制汗、消臭等の効果が見込めるような、例えば、吸放湿性、吸汗速乾性を有する加工、消臭加工等が施されたドライメッシュ素材を採用することが好ましい。また、袋体６の挿入の便宜のために、伸縮性のある布地素材からなることがさらに好ましい。メッシュ生地４は、周縁部４ａが、折り返されて縫いつけられ、または、接着剤により接着されて、その他の部分よりも厚みを増して形成されている。本実施例１におけるメッシュ生地４の大きさは、長さ５ｃｍ×幅４ｃｍの長方形である。  
なお、メッシュ生地４は、通気性を確保するとともに、袋体６が直接、人体の接触部に接触して血行不良や軽い凍傷等にならないように設けられるものであって、このメッシュの粗さについては、本発明において特に限定されるものではなく、ポケット部３に挿入した袋体６によって過度に人体の被接触部を冷やさないものである限り採用することができる。
【００２５】
袋体６は、図４に示すような、扁平な略矩形状で、内部には冷却体としての高吸水ポリマー６ａが充填されている。また、この高吸水ポリマー６ａが充填される装填部には、かがり縫と呼ばれる縫製が施されているか、若しくは、例えば、本実施例１のように、袋体６自体が、ポリマー粒子が溶出しないような機密性の高いもの、例えば、ポリプロピレン樹脂により構成されている。なお、本実施例１における高吸水ポリマー６ａとは、カルボキシメチルセルロース・ナトリウム（ＣＭＣ）と呼ばれる水吸収ゲル化剤をいう。袋体６には、水約１００ｍＬに対し、水吸収ゲル化剤が約１．２５ｇの割合で混合され、充填されている。なお、袋体６の大きさは、ポケット部３よりも一回り小さく、本実施例１において、例えば、長さ４．５ｃｍ×幅３．５ｃｍ×厚み５ｍｍの扁平直方体である。
【００２６】
次に、実施例１の保冷用装着具１についての使用方法について、図４、図５、図６を参照しながら説明する。
【００２７】
まず、あらかじめ高吸水ポリマー６ａが充填された袋体６を冷凍庫等の冷却手段にて約−２０℃に冷却しておく。使用する直前に取り出し、図４に示すように、装着具本体２に設けられたポケット部３の開口部３ａから内部３ｂへ挿入する。このとき、使用時の周辺の環境に応じて、強い冷却効果を求める場合には、袋体６をポケット部３のメッシュ生地４と装着具本体２の表面生地２２との間に挟まれて設けられている温度調節用布片５よりもメッシュ生地４側に挿入し、比較的穏やかな冷却効果を求める場合には、袋体６を温度調節用布片５よりも表面生地２２側に挿入することで、温度調節すればよい（図５参照）。  
また、本実施例１では、装着具本体２にポケット部３が３箇所設けられているが、使用目的、周辺の温度等に鑑み、ポケット部３に袋体６を１〜３個、適宜数量を調整して挿入すればよい。なお、袋体６を１個挿入する場合には、中央のポケット部３に挿入し、２個の場合には、左右のポケット部３に挿入し、３個の場合には、すべてのポケット部３にそれぞれ袋体６を挿入することが好ましい。なお、袋体６が挿入されたポケット部３の厚みは、約１ｃｍ程度となる。
【００２８】
続いて、図６に示すように、装着具本体２の両端部を結ぶなどして裏面生地２１側に設けられているポケット部３を被接触部（所望の首部の箇所）に巻き付けてフィットさせ、人体の被接触部（首部）に装着する。また、例えば、装着具本体２の両端部に面ファスナーを設けて、これを連結しても好ましい。そして、このように構成された保冷用装着具１は、ポケット部３の開口部３ａが、メッシュ生地４の開口とともに、装着具本体２の裏面生地２１側の長手方向の中央線上に形成されているため、装着具本体２の両端部を結ぶなどして人体の被接触部（首部）に装着し、フィットさせた後において、開口部３ａにファスナー等がなくても袋体６がポケット部３から脱落して外れることもなく、活動、例えば、真夏の戸外での作業を快適に進めることができる。
使用後（移動後、作業後）には、ポケット部３から袋体６を取り出して、これを再び冷凍庫等の冷却手段にて冷却すればよい。汗等で汚れた保冷用装着具１は、洗濯すれば繰り返し使用することができる。
【００２９】
ここで、実施例１では、袋体６に充填する冷却体としてＣＭＣと呼ばれる高吸水ポリマー６ａを例示して説明したが、例えば、強い冷却効果が気体できるアイスノン（登録商標）に採用の高吸水ポリマー、穏やかに長時間にわたって冷却効果が期待できる三洋化成株式会社製又はケニス株式会社製の高吸水ポリマーなど使用目的に応じて選択し、袋体６に充填すればよい。
【００３０】
次に、本発明の実施例１に係る保冷用装着具１の製造方法を、図７を参照しつつ説明する。
【００３１】
まず、所定の形状にメッシュ状の通気性生地を裁断する裁断工程Ａにより、メッシュ生地４を長さ５ｃｍ×幅４ｃｍの長方形の一回り大きなサイズに裁断する。続いて、裁断した通気性生地の周縁部を折り返して形成し、強化する周縁部強化工程Ｂにより、裁断したメッシュ生地４の周縁部４ａを折り返して縫いつけ、または、接着剤で接着し、長さ５ｃｍ×幅４ｃｍの長方形にする。これによりメッシュ生地４は、周縁部４ａが物理的に強化される。
さらに、所定の形状に舌状布片を裁断する第二裁断工程Ｃにより、温度調節用布片５を長さ５ｃｍ×幅４ｃｍの長方形に裁断する。
なお、装着具本体２となる生地素材についても所定の形状（大きさ）に裁断しておく。
【００３２】
次に、布地素材を裁断した所定の形状（大きさ）の生地本体の裏面生地側に、ポケット部を２又は３箇所、１〜５ｃｍの間隔をもって設けるポケット部形成工程Ｄにより、装着具本体２を形成する際に裏面生地２１となる側に、長さ５ｃｍ×幅４ｃｍの長方形の周囲となる縫いつけを行ってポケット部３を３箇所、形成する。具体的には、中央に１箇所、この中央のポケット部３の両端から左右に２ｃｍの間隔をもってそれぞれ１箇所、合計３箇所のポケット部３を形成する。このとき、開口部３ａを形成しないように留意する。
さらに、裁断した通気性生地および舌状布片を、端部を合わせて縫いつけて二層のヘテロ布片とし、このヘテロ布片を、ポケット部の内部の裏面生地側に通気性生地を位置させて縫いつける生地縫付工程Ｅにより、周縁部４ａを物理的に強化したメッシュ生地４および温度調節用布片５の端部、特に、周縁部同士を合わせて縫いつけ、メッシュ生地４と温度調節用布片５とが重なった二層のヘテロ布片を作成し、続けて、所定の形状（大きさ）の生地本体に形成されたポケット部３の内部３ｂとなる側、すなわち、完成時においてポケット部３内部３ｂの裏面生地側となる箇所に、メッシュ生地４を位置させて縫いつける。
そして、所定の形状（大きさ）の生地本体の長手方向の両端を縫い合わせ、表面生地２２と裏面生地２１とを有する二層構造の扁平な袋状であって、両端部を三角形状に加工した細幅長尺の装着具本体２を作成する。
【００３３】
その後、ポケット部の開口を、通気性生地の開口とともに、対向させて、若しくは、裏面生地の長手方向の中央線上に形成する開口部形成工程Ｆにより、形成したポケット部３の長手方向の中央線上に、ヘテロ布片（メッシュ生地４および温度調節用布片５）とともに、それぞれ長さ５ｃｍの切れ目を入れ、開口部３ａを形成する。なお、開口部形成工程Ｆでは、切れ目が装着具本体２の表面生地２２にまで届かないように留意する。
これにより、実施例１に係る保冷用装着具１を製造することができる。
なお、上記製造方法では、開口部形成工程Ｆを行った後に、所定の形状（大きさ）の生地本体の長手方向の両端を縫い合わせ、表面生地２２と裏面生地２１とを有する二層構造の扁平な袋状であって、両端部を三角形状に加工した細幅長尺の装着具本体２を作成しても好ましい。
また、出荷時には、ポケット部の開口部から内部へ、袋体を挿入する袋体挿入工程Ｇを経て、メッシュ生地４で覆われたポケット部３の開口部３ａから内部３ｂへ、高吸水ポリマー６ａが充填された扁平状の袋体６を挿入し、保冷用装着具１を流通に乗せればよい。
【００３４】
ここで、本発明では、上述のそれぞれ工程の順序を適宜入れ替えることができるものである。例えば、本発明は、ポケット部形成工程Ｄ、生地縫付工程Ｅ、開口部形成工程Ｆに関し、ポケット部形成工程Ｄの後に、開口部形成工程Ｆを行い、続いて、生地縫付工程Ｅを行ってもよい。具体的には、ポケット部形成工程Ｄの後に、開口部形成工程Ｆにより、ヘテロ布片および装着具本体２の裏面生地２１側にそれぞれ、開口を長手方向の中央線上に形成した上で、生地縫付工程Ｅにより、ヘテロ布地をポケット部３に縫い付けてもよい。
さらに、例えば、ヘテロ布片のみに切れ目を入れて開口部形成工程Ｅを行い、ヘテロ布片をポケット部３に縫い付ける生地縫付工程Ｆの順で製造を進めた後に、ポケット部形成工程Ｄを行う、すなわち、メッシュ生地４の物理的に強化された周縁部４ａを裁縫することにより、ポケット部３を形成してもよい。なお、この場合、装着具本体２に直接、メッシュ生地４を縫いつけるので、メッシュ生地４と装着具本体２との間がポケット部３となる。
【００３５】
（実施例２）
また、本発明の実施例２に係る保冷又は温熱装着具は、図８に示すような、例えば、温熱用装着具１０として構成することもできる。本実施例２が上記実施例１と異なる箇所は、ポケット部３０が２箇所設けられているとともに、開口部３０ａが、メッシュ生地４０の開口とともに、対向して形成されているところである。その他、装着具本体２０、メッシュ生地４０の素材や各構成要素の大きさ等は同じである。
なお、実施例２は温熱用装着具１０であるために、ポケット部３０に挿入される袋体６０としては、例えば、長さ４．５ｃｍ×幅３．５ｃｍ×厚み５ｍｍの扁平直方体のものに、発熱体である鉄粉、反応触媒作用のある水や食塩と、それを保持する高分子吸水剤、活性炭、バーミキュライト等が混ぜられた公知の温熱体を充填して用いればよい。
【００３６】
ここで、上記実施例１は保冷用装着具１として、上記実施例２は温熱用装着具１０として説明したが、袋体６、６０に充填されるものが温熱体か冷却体かが異なるのみであって、上記実施例１のものを温熱用装着具として、上記実施例２のものを保冷用装着具として、それぞれ使用してもまったく支障はないものである。
【００３７】
そして、本実施例２の温熱用装着具１０においても、ポケット部３０内部３０ｂのメッシュ生地４０と装着具本体２０の表面生地２２０との間に矩形状の温度調節用布片５０を設けることが、温度調節を手軽に行えるという観点から好ましい実施形態となる。
【００３８】
したがって、まず、本発明に係る保冷用装着具１は、ポケット部３が形成されていて、特に、内部３ｂの裏面生地２１側が、一部が開口するメッシュ生地４で覆われているので、高吸水ポリマー６ａが充填された扁平状の袋体６を簡単に挿入することができるとともに、この袋体６が挿入されれば、凍傷等の危険を防ぎつつ、袋体６内の高吸水ポリマー６ａの気化熱等をメッシュ生地４を介して、効率よく人体の接触部（首部）に届けることができる。さらに、ポケット部３が装着具本体２の裏面生地２１側に３箇所、２ｃｍの間隔をもって設けられ、かつ、この裏面生地２１側を覆うものがメッシュ生地４であって柔軟であるので、袋体６が挿入された後にも棒状形状とならず、メッシュ生地４を介して人体の接触部（首部）の形状に柔軟に対応して密着させることができ、袋体６の効果をより効率的に人体の接触部（首部）に届けることができる。特に、ポケット部３の開口部３ａは、メッシュ生地４の開口とともに、裏面生地２１側の長手方向の中央線上に形成されているので、袋体６が挿入されていても目立つことなく外観が審美であるとともに、ポケット部３に挿入された袋体６をファスナー等で閉じなくても、使用（装着）時に外部へ脱落することを防ぐことができる。また、装着具本体２に３箇所、２ｃｍの間隔をもってポケット部３が設けられた構成であるが故、従来の保冷具又は温熱具に比べ飛躍的に軽量化され、幅広い年代の人に使用することができるほか、挿入する袋体６の数も調整することができて、手軽に温度調節することも可能となる。このほか、メッシュ生地４の周縁部４ａは折り返され物理的に強化されているため、繰り返しの洗濯に対して大幅な抵抗性を有し、長期間の使用に耐えうることができる。なお、ポケット部３に挿入する袋体６は、装着具本体２と別体であるので、冷却用の袋体６のみを冷却手段で冷やした後にポケット部３に挿入すればよく非常に使い勝手のよいものとすることができる。
【００３９】
また、本発明に係る温熱用装着具１０も、ポケット部３が２箇所設けられているとともに、ポケット部３０の開口部３０ａが対向して形成されていて、上述したような有効性を有し、温熱用の袋体６０を揉んだ後にポケット部３に挿入すればよく、やはり非常に使い勝手のよいものである。
【００４０】
そして、本発明では、ポケット部３、３０内部３ｂ、３０ｂのメッシュ生地４、４０と装着具本体２、２０の表面生地２２、２２０との間に温度調節用布片５、５０が挟まれて設けられていることが好ましく、この好適な例では、使用時の周辺環境に応じて袋体６、６０を、温度調節用布片５、５０よりもメッシュ生地４、４０側に、又は、温度調節用布片５、５０よりも装着具本体２、２０の表面生地２２、２２０側に、挿入することが可能となって、このことによっても手軽に温度調節することができ、温熱による低温やけどや冷却による軽い凍傷の心配等もなくすことができる。
【００４１】
また、本発明に係る保冷又は温熱用装着具の製造方法では、特段困難な工程を用いることがないので、非常に軽量化され幅広い年代に使用することができるほか、人体に柔軟にフィットさせることができ、簡単に冷却の度合いを調整すること等も可能な保冷又は温熱用装着具を経済性よく製造することができ、これを安価に提供することが可能となる。
【００４２】
ここで、上記実施例１および上記実施例２では、ポケット部の内部の人体と接触する側に、メッシュ生地が縫いつけられた保冷又は温熱用装着具を例示して説明したが、一部上述した通り、図９に示すような、装着具本体２の裏面生地２１に直接、メッシュ生地４を縫いつけ、メッシュ生地４と装着具本体２の裏面生地２１との間をポケット部３とすることもでき、このような保冷又は温熱用装着具であっても本発明の権利範囲とするものであって、軽量化をさらに実現することができる。なお、この場合の製造方法については、上述したポケット部形成工程と生地縫付工程とを統一することが可能となって、工程を１つ省くことができ、さらに簡便な製造を可能とすることができる。
なお、ポケット部のメッシュ生地と装着具本体の表面生地との間に挟まれて設けられる舌状布片は、本発明の付加価値を高めるものであって、必ずしも必要な構成要素ではない。舌状布片を付与しない本発明であれば、さらにまた簡便な製造が可能になる。
【００４３】
以上、本発明の一実施形態を詳述したが、本発明は上記実施形態に限定されるものではない。本発明は、特許請求の範囲に記載された事項を逸脱することがなければ、種々の設計変更を行うことが可能である。また、特許請求の範囲に記載された事項を逸脱しなければ、本発明を構成する要素についても、公知または周知のものを使用できることはいうまでもない。  
【００４４】
例えば、本発明の趣旨から逸脱しない範囲で適宜変更して具体化することもでき、袋体の形状やこれに充填される温熱体、冷却体のサイズを適宜変更することができるほか、装着具本体にスカーフ状の布片を採用し、両布片を結ぶことにより互いに連結するように構成すること、人体の首部のほか、ひざ、ひじ等の関節をはじめとする各被接触部にも適用すること等ができ、本発明は、その適用範囲を広く有するものである。
【符号の説明】
【００４５】
１      保冷用装着具（実施例１）
２      装着具本体（生地本体）
２１    裏面生地
２２    表面生地
３      ポケット部
３ａ    開口部
３ｂ    内部
４      メッシュ生地（通気性生地部）
４ａ    周縁部
５      温度調節用布片（舌状布片）
６      袋体
６ａ    高吸水ポリマー（冷却体）
１０    温熱用装着具（実施例２）
２０    装着具本体
２１０  裏面生地
２２０  表面生地
３０    ポケット部
３０ａ  開口部
３０ｂ  内部
４０    メッシュ生地
４０ａ  周縁部
５０    温度調節用布片
６０    袋体
Ａ      裁断工程
Ｂ      周縁部強化工程
Ｃ      第二裁断工程
Ｄ      ポケット部形成工程
Ｅ      開口部形成工程
Ｆ      生地縫付工程
Ｇ      袋体挿入工程
【図１】
2011015790.tif 000003
【図２】
2011015790.tif 000004
【図３】
2011015790.tif 000005
【図４】
2011015790.tif 000006
【図５】
2011015790.tif 000007
【図６】
2011015790.tif 000008
【図７】
2011015790.tif 000009
【図８】
2011015790.tif 000010
【図９】
2011015790.tif 000011